(57)【要約】【課題】  肩の上面付近まで温熱作用等の施療を実施し、施療機と併用する場合はそれに取りつけたままの状態で、人体の表側及び背側の両側に対して施療効果をもたらす事ができる施療用パッドを提供する。【解決手段】  温熱施療手段４ａを設けた面状体の施療用パッド１ａは、人体頭部を挿通するための頭挿通部１１ａを設けており、該頭挿通部１１ａに人体頭部を挿通して、左右にある縦長面状部１２ａ・１２ａにより胸部や腹部等の人体の表側と共に肩の上面付近を覆って温熱効果をもたらすよう構成する。また、該施療用パッド１ａは、背当て部２ｂの内部で昇降可能である施療機構２４ｂを備えた施療機１ｂの該背当て部２ｂに、係着部２１ｂにより取りつけて使用する構成とし、前記温熱施療手段４ａの温熱効果と施療機構２４ｂの施療効果との相乗効果をもたらす事ができる。【選択図】  図２６
2006320630.tif 000002
【特許請求の範囲】
【請求項１】
人体局部に当接し得る面状体に形成され、該面状体の適所に温熱作用をもたらす温熱施療手段を設けると共に人体頭部を挿通するための頭挿通部を設けた事を特徴とする施療用パッド。
【請求項２】
前記面状体は、上端部で連結されて該下方左右に縦長形状の縦長面状部の一対が各々並設されており、且つ、これら一対の縦長面状部間に形成される空間で頭挿通部が形成された逆Ｕ字形の面状体である事を特徴とする請求項１記載の施療用パッド。
【請求項３】
前記左右の縦長面状部の各下端部に、互いに幅方向に連結し得る脱着連繋部を脱着自在に設けている事を特徴とする請求項２記載の施療用パッド。
【請求項４】
前記脱着連繋部に温熱施療手段を備えている事を特徴とする請求項３記載の施療用パッド。
【請求項５】
前記脱着連繋部が、前記縦長面状部の下端部から縦長方向に展開可能である事を特徴とする請求項３及び請求項４記載の施療用パッド。
【請求項６】
前記施療用パッドの裏面側上部に、温熱施療手段を設けた第二パッド部の上部を結合して、二重構成にした事を特徴とする請求項１乃至請求項５の施療用パッド。
【請求項７】
前記第二パッド部の下端部に、温熱施療手段を設けた第三パッド部を展開可能に設けた事を特徴とする請求項６記載の施療用パッド。
【請求項８】
前記施療用パッドに、振動施療を付与する振動手段及び／または膨縮施療を付与する膨縮手段を前記温熱施療手段と共にその適所に並設または／及び重設配備した事を特徴とする請求項１乃至請求項７記載の施療用パッド。
【請求項９】
前記施療パッドに係着部を設け、該係着部で施療機構を装備した施療機の背当て部の上方に、脱着可能に係着できるよう構成した事を特徴とする請求項１乃至請求項８記載の施療用パッド。
【請求項１０】
前記施療パッドに係止部を設け、該係止部で施療機構を装備した施療機の背当て部の下方に、着脱可能に係止できるよう構成した事を特徴とする請求項１乃至請求項９記載の施療用パッド。
【請求項１１】
前記施療用パッドは、施療機構を装備した施療機の背当て部の上方に予め設けられた収納部に纏めた形態で収納できるよう構成した事を特徴とする請求項１乃至請求項１０記載の施療用パッド。
【発明の詳細な説明】
【技術分野】
【０００１】
本発明は、施療者における人体局部との当接部位に温熱作用等を付与し得る施療手段を設け、施療者に効果的な施療を施す事ができるようにした施療用パッドに関するものである。
【背景技術】
【０００２】
施療者における人体局部との当接部位に温熱作用等を付与する施療手段を設けて施療を施す事ができるようにした施療用パッドが既に存在しており、例えば、従来の施療用パッドは、面状形成された面状体内に温熱施療手段を具備させたものであり、該施療用パッドを床面等に設置して床面上に施療者が仰臥して使用したり、又は、施療者が仰臥した姿勢や椅子に着座した姿勢で施療者上面から施療用パッドを覆って使用したりする事で、人体背側の背中や腰部或いは人体の胸部や腹部の他、人体下肢の脚部等の適宜の当接部位に温熱を施して、施療者に血行促進等の温熱効果をもたらす事ができるようにしている。
【０００３】
また、このような面状形成された施療用パッドを、揉み、叩き、振動、さすりなどの施療機構を備えた施療機に併用し、温熱効果と施療効果の相乗効果を期待できるようにするマッサージチェア用ヒーター付カバーが開示（特開平１０−２６３０３４号公報）されており、該マッサージチェア用ヒーター付カバーは、背凭シート２または座席シート３のいずれか一方または両方に、ローラー・もみ玉等からなるマッサージ体４により揉む・叩く・背筋伸ばし等を行うマッサージ機構５を設けてマッサージチェアを構成し、該マッサージチェアの着座者と前記マッサージ体４との間にヒーター２６を配置するように前記マッサージチェアに着脱自在に装着するものである。
【０００４】
よって、この従来のマッサージチェア用ヒーター付カバーでは、シートカバー２５にヒーター２６を設けているので、ヒーター２６により暖められる部位と、マッサージ機構によるマッサージされる部位が一致し、ヒーター併用によってリラクゼーション効果を高めると共に筋肉の緊張感を解すことによりマッサージ効果を向上させることができ、また、シート内にヒーターを設けないので、シートの小型軽量化および修理やメンテナンスを容易にでき、コストを削減できるようにしている。
【０００５】
また、このマッサージチェア用ヒーター付カバーは、シートカバー２５に面状ヒーター２６を設けているので、シートカバー２５はシートに完全に固定しておらず、ヒーター２６がマッサージ体４と着座者とにより挟持される部分（位置）がずれることにより微妙に変って一部の発熱素子３１に応力が集中するのを防止して断線を防止し、耐久性を向上させ、着座者とマッサージ体４との間にヒーター２６を配置することを実現できるようにもしている。
【特許文献１】特開平１０−２６３０３４号公報（第１１頁、図４）
【発明の開示】
【発明が解決しようとする課題】
【０００６】
ところで、上記した前者の面状体形成された施療用パッドでは、該施療用パッドでの被覆可能な局部が特定されてしまう為、仰臥した姿勢や椅子に着座した姿勢で施療者の上面から施療用パッドを覆うようにして使用した場合に、人体の胸部や腹部の局部に温熱効果をもたらす事ができるが、肩の上面付近にまで施療用パッドが届かない為に肩部位を覆う事ができず、その部位に温熱効果をもたらすことが困難であるという問題があった。
【０００７】
また、後者のマッサージチェア用ヒーター付カバーにおいては、上側は、背凭シート２から座席シート３および足載部２１までも包囲する長さのロングタイプにする事で、前者での問題点を可及的に解決できるようにしているが、マッサージチェア１にシートカバー２５を取付けて使用する場合には、シートカバー２５上部に背凭シート２の所定位置に設けた係止部材（ファスナー）２７に係合させる係止部材２８で着脱し得るように構成している為、背凭シート２に凭れた使用者の背面部を温める事はできるが、人体胸部や腹部などの表面側を温める為には、一旦係止部材２８の係合を解除してシートカバー２５をマッサージチェア１から取り外して人体表側に移動させてから使用する必要がある為、使用者が背面側を温めた場合に、シートカバー２５を取り外して表面側に移動させている間に背面側の温度が下がって冷めてしまい、背面側と表面側の双方に効率良く温熱効果を施す事ができないという問題があった。
【０００８】
本発明は、上記問題点に鑑みて成されたものであり、単独使用する場合には肩の上面付近まで温熱等の施療作用を付与する事ができると共に、施療機と併用して使用する場合にも、これを取りつけたままの状態で人体の表面側及び背面側の両側に対して施療効果をもたらす事ができる施療用パッドを提供する事を目的とするものである。
【課題を解決するための手段】
【０００９】
すなわち、本発明の施療用パッドは、施療者における人体局部との当接部位に対して温熱作用をもたらす温熱施療手段を適所に設けた面状体であると共に、人体頭部を挿通するための頭挿通部を設けて構成している。
【００１０】
また、本発明の施療用パッドは、左右に縦長形状の縦長面状部を中央に空間を存して並設すると共に上端部で繋がりその下方は左右に分離するよう形成した逆Ｕ字形の面状体であるとともに、該空間が前記頭挿通部である構成をしている。
【００１１】
また、本発明の施療用パッドは、前記左右の縦長面状部の夫々の下端部を、互いに幅方向において脱着自在に連繋する脱着連繋部を設けて構成している。
【００１２】
また、本発明の施療用パッドは、前記脱着連繋部に温熱施療手段を備えた構成である。
【００１３】
また、本発明の施療用パッドは、前記脱着連繋部が、前記縦長面状部の下端部から長さ方向に展開可能であるよう構成している。
【００１４】
また、本発明の施療用パッドは、前述した構成の施療用パッドを第一パッド部とし、該第一パッド部の裏面側において、該第一パッド部の上部で結合する温熱施療手段を設けた第二パッド部を設けて構成する。
【００１５】
また、本発明の施療用パッドは、前記第二パッド部の下端部において、温熱施療手段を設けた第三パッド部を展開可能に設けて構成している。
【００１６】
また、本発明の施療用パッドは、前記温熱施療手段と共に、振動手段及び／または空気給排装置により膨縮する膨縮袋を適所において並設または／及び重設するよう設けて構成する。
【００１７】
また、本発明の施療用パッドは、人体背部に対する施療効果をもたらす施療機構を設けた背当て部を備えた施療機の該背当て部の上方において、脱着可能な係着部により係着して使用する事ができるよう構成するものである。
【００１８】
また、本発明の施療用パッドは、前記施療機の前記背当て部の下方において、着脱可能な係止部により係止して使用する事ができるよう構成するものである。
【００１９】
また、本発明の施療用パッドは、前記施療機の前記背当て部の上方に設けた収納部に纏めた形態で収納するよう構成するものである。
【発明の効果】
【００２０】
よって本発明の施療用パッドは温熱作用をもたらす温熱施療手段を適所に設けた面状体であると共に、人体頭部を挿通するための頭挿通部を設けて構成している為、使用者が背側に当接させて温熱作用により血行を良くしたり、また、頭部を頭挿通部に挿通させて使用するならば、胸部や腹部などの人体の表側と共に、肩の上面付近までを覆って温熱効果をもたらす事ができる。
【００２１】
また、本発明の施療用パッドは、左右に縦長形状の縦長面状部を中央に空間を存して並設すると共に上端部で繋がりその下方は左右に分離するよう形成した逆Ｕ字形の面状体であるとともに、該空間が前記頭挿通部である構成をしている為、人体の背側に当接した状態から表側に移動する場合、左右の縦長面状部を人体左右外側から個々に移動させる事ができるので、使用し易くなる。
【００２２】
また、本発明の施療用パッドは、前記左右の縦長面状部の夫々の下端部を、互いに幅方向において脱着自在に連繋する脱着連繋部を設けて構成している為、特に人体の表側に当接した状態の場合に、左右の縦長面状部において互いに分離している部分が、人体左右外側へ不意にずれてしまい、人体の表側の所望する部位に対する温熱効果を与え損なう事がないようにする事ができる。
【００２３】
また、本発明の施療用パッドは、前記脱着連繋部に温熱施療手段を備えた構成である為、脱着連繋部が当接する人体部位に対しても温熱効果をもたらす事ができる。
【００２４】
また、本発明の施療用パッドは、前記脱着連繋部が、前記縦長面状部の下端部から長さ方向に展開可能であるよう構成している為、脱着連繋部を展開する事により人体の長さ方向に温熱効果をもたらす面積が広がって、例えば人体背側に当接する場合は人体脚部裏側にも、或いは前記頭挿通部に人体頭部を挿通して人体表側に当接する場合は人体脚部表側にも温熱効果をもたらす事ができる。
【００２５】
また、本発明の施療用パッドは、前述した構成の施療用パッドを第一パッド部とし、該第一パッド部の裏面側において、該第一パッド部の上部で結合する温熱施療手段を設けた第二パッド部を設けて構成する為、人体の背側と共に表側を同時に温熱効果をもたらす事ができる。
【００２６】
また、本発明の施療用パッドは、前記第二パッド部の下端部において、温熱施療手段を設けた第三パッド部を展開可能に設けて構成している為、第三パッド部を展開する事により人体の長さ方向に温熱効果をもたらす面積が広がって、例えば下半身の脚部裏側に対しても温熱効果をもたらし、さらに前記温熱施療手段を備え且つ前記縦長面状部の前記下端部から展開可能な脱着連繋部が設けられていれば、脚部裏側と共に脚部表側を同時に温熱効果をもたらす事ができる。
【００２７】
また、本発明の施療用パッドは、前記温熱施療手段と共に、振動手段及び／または空気給排装置により膨縮する膨縮袋を適所において並設または／及び重設するよう設けて構成する為、温熱施療手段による温熱効果と振動手段や膨縮袋による施療効果の相乗効果をもたらす事ができる。
【００２８】
また、本発明の施療用パッドは、人体背部に対する施療効果をもたらす施療機構を設けた背当て部を備えた施療機の該背当て部の上方において、脱着可能な係着部により係着して使用する事ができるよう構成するものである為、施療用パッドを施療機と併用する場合は、係着部に係着する事により背当て部に対する適正な位置に取りつける事ができる。
【００２９】
また、本発明の施療用パッドは、前記施療機の前記背当て部の下方において、着脱可能な係止部により係止して使用する事ができるよう構成するものである為、施療用パッドを施療機と併用する場合は、背当て部の前記施療機構を作動させながら使用しても、背当て部における位置ずれを防止する事ができる。
【００３０】
また、本発明の施療用パッドは、前記施療機の前記背当て部の上方に設けた収納部に纏めた形態で収納するよう構成するものである為、施療用パッドを施療機と併用して施療用パッドが一時的に不必要になる場合でも、前記係着部から取り外さなくてもよく便利である。
【発明を実施するための最良の形態】
【００３１】
以下に、本発明の施療用パッドを、図面に示す一実施形態に基づきこれを詳細に説明する。
【００３２】
図１乃至図１１は本発明の施療用パッドの一実施形態を示す斜視図であり、図１２乃至図２１は本発明の施療用パッドを椅子に配置した一実施形態を示す使用状態側面図であり、図２２は本発明の施療用パッドの温熱施療手段と振動手段と膨縮袋の一実施形態を示す断面説明図であり、図２３は本発明の施療用パッドの施療機と併用した一実施形態を示す使用状態側面図であり、図２４、図２５、図２７は本発明の施療用パッドの施療機と併用した一実施形態を示す斜視図であり、図２６は本発明の施療用パッドの施療機に対する取付けに関する一実施形態を示す斜視説明図、図２８は本発明の施療用パッドの施療機に収納する一実施形態を示す側面説明図であり、図２９は従来技術を示す参考図である。
【００３３】
すなわち、本発明の施療用パッド１ａは、図１の実施形態で示したように面状体であり、その中央には人体頭部を挿通するための頭挿通部１１ａを設けると共に、施療者における人体局部との当接部位に対して温熱施療作用をもたらす温熱施療手段４ａを適所（図では全域）に内設して構成したものである。
【００３４】
すなわち、左右に縦長の帯形状をした縦長面状部１２ａ・１２ａが中央に空間を存して並設すると共に、上端部で繋がりその下方は左右に分離するよう形成した逆Ｕ字形から成ると共に、該空間が前記頭挿通部１１ａとなるよう構成している。
【００３５】
前記頭挿通部１１ａの空間幅は、適宜使用目的に応じて広げたり狭めたりしてもよいし、空間幅を略無くしたスリット形状にしてもよい。図１では、この施療用パッド１ａを背当て部の内部で昇降する左右一対の施療子を備える椅子型施療機（図示せず）と併用可能なものとして、該頭挿通部１１ａの空間幅を左右一対の施療子の施療動作幅と同じくらいかそれより大きくなるよう形成する事により、可及的に施療動作中の施療子が施療用パッド１ａに当接しないようにして、施療用パッド１ａの摩耗や劣化を防止している。
【００３６】
この施療用パッド１ａの材質に関しては、人体の曲面に容易に沿う事ができるような柔軟性のあるものがふさわしい。必要に応じて内部に有クッション性を有する弾性部材（図示せず）を内設する事ができる。
【００３７】
前記温熱施療手段４ａは、送電される電気で抵抗発熱する発熱体（図示せず）を備えた既存の面状ヒータまたは線状ヒータを採用する事ができるが、温熱効果をもたらすものであればこれに限らない。尚図面では線状ヒータを示している。
【００３８】
この施療用パッド１ａは柔軟性を有するために、あらゆる使用者の姿勢や使用環境等に適するものであるため、すべての使用形態を取り上げる事はできないが、以下において、一例として使用者が椅子に着座した姿勢で使用する椅子と併用した使用形態を示すことにする。
【００３９】
図１２は、施療用パッド１ａを椅子Ｃの背当て部に沿設し、着座しての背当て部に凭れた使用者の背側が当接して、前記温熱施療手段４ａにより背中や腰等を温めるようにする形態を示している。
【００４０】
また、図１３で示すように、前記左右にある縦長面状部１２ａ・１２ａの夫々を、人体の表側になるように個々に移動させるならば、縦長面状部１２ａ・１２ａは胸や腹等と共に肩の上面付近を覆う事ができるので、前記温熱施療手段４ａにより従来温熱し難かった肩の上面付近にまで及んで温熱効果をもたらす事が可能となる。さらに、図１４に示すように、縦長面状部１２ａ・１２ａの上端部で繋がった部分だけを裏返して椅子Ｃの背当て部と人体の背側に挟まれるようにして使用するならば、肩の上面付近を前後方向に包んで、より肩における温熱範囲を広げて温める事ができる。
【００４１】
また、施療用パッド１ａは図２に示すように、前記左右の縦長面状部１２ａ・１２ａの夫々の下端部を、互いに幅方向において脱着自在に連繋する脱着連繋部１３ａを設けて構成している。
【００４２】
すなわち、前記縦長面状部１２ａ・１２ａの左側下端部において、幅方向内側に向かってベルト部１３１ａを延長形成して設け、該ベルト部１３１ａの裏面と縦長面状部１２ａ・１２ａの右側下端部の表面とに夫々互いに着脱自在な係着部１４ａ・１４ａを備えている。このように構成する事で例えば、縦長面状部１２ａ・１２ａが人体の表側に当接した状態の場合に、該左右の縦長面状部１２ａ・１２ａの夫々が、人体左右外側へ不意にずれてしまい、人体の表側の所望する部位に対する温熱効果を与え損なう事がないようにする事ができる。
【００４３】
尚、前記ベルト部１３１ａは、他にも前記縦長面状部１２ａとは別の材質から成るものでもよい。例えば、該縦長面状部１２ａの材質よりも伸縮性の高いものを採用する事もできる。または、ベルト部１３１ａを縦長面状部１２ａから脱着自在に取り外しができるようにしてもよい。
【００４４】
前記ベルト部１３１ａの前記係着部１４ａ・１４ａは、脱着自在で使い易い面ファスナー、またはフック金具等を採用する事ができる。また、図示しないが前記ベルト部１３１ａが幅方向に段階的に位置調節可能にしてもよい。
【００４５】
さらに施療用パッド１ａは、前記脱着連繋部１３ａにも前述したような温熱施療手段４ａを備えるように構成するならば、該脱着連繋部１３ａが当接する人体部位に対しても温熱効果をもたらす事ができる。
【００４６】
例えば、図３に示すように施療用パッド１ａの長さ方向において前記脱着連繋部１３ａの大きさを拡張するならば、前記頭挿通部１１ａの空間を覆い、該空間に位置する人体部位に対しても前記温熱施療手段４ａによる温熱効果をもたらす事ができる。
【００４７】
図４及び図５に示すのは、前述のような脱着連繋部１３ａが、さらに前記縦長面状部１２ａの下端部から長さ方向に展開可能であるよう構成しているものである。すなわち、左右の縦長面状部１２ａ・１２ａの左側下端部において、長さ方向に屈折展開自在になるようにして脱着連繋部１３ａが延長形成されている。
【００４８】
また前記脱着連繋部１３ａと前記縦長面状部１２ａ・１２ａとが重合している図４に示す状態において、前述した係着部１４ａが脱着連繋部１３ａの上部左側と上部右側、及び下部右側に夫々設けられると共に、それら係着部１４ａが対向する縦長面状部１２ａ・１２ａの夫々の位置に、夫々係着部１４ａが対設されている。
【００４９】
よって、全ての前記係着部１４ａ・１４ａを互いに離脱させるならば、図５に示すような前記縦長面状部１２ａ・１２ａから脱着連繋部１３ａが前方へ展開する事ができるのである。
【００５０】
また図１５に示すように、前記縦長面状部１２ａ・１２ａを椅子Ｃの背当て部に当接させると共に、前記脱着連繋部１３ａを縦長面状部１２ａ・１２ａから前方へ展開して、該脱着連繋部１３ａを椅子Ｃの座部に当接させた状態で使用者がその上から着座するならば、人体背側だけではなく、人体脚部裏側にも前記温熱施療手段４ａによる温熱効果をもたらす事ができる。
【００５１】
また図１６に示すように、椅子Ｃに着座した使用者の表側に前記縦長面状部１２ａ・１２ａを位置させた状態で、前記脱着連繋部１３ａを該縦長面状部１２ａ・１２ａから前方へ展開して人体脚部表側に当接させて使用するならば、人体脚部表側に対する温熱効果をもたらす事ができる。
【００５２】
さらに本発明は、図６に示すように、上述した施療用パッド１ａを第一パッド部１０ａとし、該第一パッド部１０ａの裏面側において、該第一パッド部１０ａの上部で結合する温熱施療手段４ａを適所に（図では全域）設けた第二パッド部２０ａを設けて構成している。
【００５３】
前記第二パッド部２０ａには、前記頭挿通部１１ａと同じような空間幅となるよう形成する空間部２０１ａを設けている。該空間部２０１ａにおいても、前述したように左右一対の施療子を備える椅子型施療機（図示せず）と併用可能なものとして、該空間部２０１ａの空間幅を左右一対の施療子の施療動作幅と同じくらいかそれより大きくなるよう形成する事により、可及的に施療動作中の施療子が第一パッド部１０ａ及び第二パッド部２０ａに当接しないようにして、摩耗や劣化を防止している。尚、このような施療機と併用しない場合は、該空間部２０１ａは必要ではないので設けなくてもよい。
【００５４】
このような構成のため図１７に示すように、椅子Ｃの背当て部に重合状になった前記第一パッド部１０ａと第二パッド部２０ａを配置して、着座した使用者の背側を温熱する事ができると共に、図１８に示すような第一パッド部１０ａのみを人体表側に位置させるならば、人体の背側と共に表側を同時に温熱効果をもたらす事ができる。
【００５５】
図７及び図８に示すのは、前記第二パッド部２０ａの下端部において、温熱施療手段４ａを設けた第三パッド部３０ａを展開可能に設けた構成である。すなわち、該第二パッド部２０ａの下端部で長さ方向に屈折展開自在になるようにして該第三パッド部３０ａを延長形成している。
【００５６】
前記第三パッド部３０ａは、例えば図２１に示すように、必要に応じて椅子Ｃの座部に当接するように第二パッド部２０ａから前方へ展開して使用する事により、椅子Ｃに着座した使用者の脚部裏側に対して温熱効果をもたらす事ができる。
【００５７】
また図示しないが、前述したような温熱施療手段４ａを備えた展開可能な前記脱着連繋部１３ａが前記第一パッド部１０ａに設けられている場合、該脱着連繋部１３ａを前方に展開した状態で、第二パッド部２０ａから前方へ展開した第三パッド部３０ａと共に使用するならば、人体の表側と背側、及び人体の脚部表側と脚部裏側を同時に温熱効果をもたらす事ができるのである。
【００５８】
尚、前記第三パッド部３０ａは、前記第二パッド部２０ａの下端部において、脱着可能にまたは／及び伸縮可能に取りつけてもよい。
【００５９】
これまで本発明の施療用パッド１ａにおいて、前記温熱施療手段４ａを設けた構成を図示してきたが、図２２に示すように該温熱施療手段４ａと共に、他にも振動施療作用を付与する振動手段５ａや、空気給排装置（図示せず）における圧縮空気の給排気により膨縮する膨縮袋６ａを併用したりするならば、温熱施療手段４ａによる温熱効果と、振動手段５ａや膨縮袋６ａによる施療効果との相乗効果をもたらす事ができる。
【００６０】
前記温熱施療手段４ａと振動手段５ａとの相互作用に関しては、施療者における人体局部との当接部位に対して温熱しながら振動による摺擦作用をもたらす事ができるので、血行を短時間で促進させることができるし、また温熱施療手段４ａと膨縮袋６ａとの相互作用に関しては、膨縮袋６ａの押圧作用によって該当接部位に対する温熱作用を強くしたり弱くしたりしながら押圧施療を実施する事ができる。
【００６１】
図２２は、前記温熱手段４ａと振動手段５ａと膨縮袋６ａとを互いに重なるように重設している構成であるが、他にも施療用パッド１ａの施療者における人体局部との当接部位に応じて温熱手段４ａと振動手段５ａ、または温熱手段４ａと膨縮袋６ａの組み合わせを適宜採用したり、またそれらを並設させたりしてもよい。
【００６２】
また図９で示すように、前記第一パッド部１０ａに、前記温熱手段４ａと前記振動手段５ａを設け、第二パッド部２０ａでは、前記膨縮袋６ａのみを設けて構成してもよい。この場合、第一パッド部１０ａと第二パッド部２０ａとが重合状になった状態で使用者の背側で使用されるならば、図２２に示すような前記温熱手段４ａと振動手段５ａと膨縮袋６ａとが互いに重なる形態となるため、温熱効果と振動施療効果及び押圧施療効果をもたらす事になり、第一パッド部１０ａのみを使用者の表側に位置させて使用するならば、使用者の表側当接部位に対しては温熱手段４ａ及び振動手段５ａによる温熱効果及び振動施療効果をもたらし、使用者の背側に対しては膨縮袋６ａによる押圧施療効果をもたらす。これらの温熱及び施療効果において、使用者の所望に応じて施療用パッド１ａの形態を変更して使い分ける事ができる。
【００６３】
さらに図１０に示すのは、前記温熱手段４ａと前記振動手段５ａを設けた前記第三パッド部３０ａを設けたものであり、該第三パッド部３０ａが前記第二パッド部２０ａから前方へ展開している図示の状態と、第三パッド部３０ａが前記第二パッド部２０ａと重合している図１１に示す状態とでは、温熱効果及び施療効果が異なるので、使用者の所望に応じて使い分ける事ができる。
【００６４】
前記振動手段５ａを前記左右の縦長面状部１２ａ・１２ａの夫々の下端部に設けるならば、例えば図１９に示すように、人体腕等の所望する人体部位に、該振動手段５ａがある該下端部を適宜自由に移動させて温熱施療効果を付与する事ができるという利点がある。
【００６５】
さらには図２０に示すように、前記縦長面状部１２ａ・１２ａを人体表側に位置させると共に、該縦長面状部１２ａ・１２ａの上端部で繋がった部分だけを裏返して椅子Ｃの背当て部と人体の背側に挟まれるようにして使用する場合において、縦長面状部１２ａ・１２ａにおける夫々の左右の人体肩付近に当たる位置に前記振動手段５ａを設けるならば、肩に対する前記温熱手段４ａによる温熱効果と共に振動施療効果をもたらし、また図示するように使用者が縦長面状部１２ａの下端部を下方に引っ張る事により、振動手段５ａがもたらす施療作用及び温熱手段４ａがもたらす温熱作用を強める事ができる。尚、図示しないが前記膨縮袋６ａも適宜併用してもよい。
【００６６】
図２３及び図２４に示すのは、本発明の施療用パッド１ａを施療機１ｂと併用する状態であり、該施療機１ｂは、背当て部２ｂの内部で昇降可能であると共に揉み・叩き・振動・ローリング等の多様な施療を可能とする左右一対の施療子８ｂを備えた施療機構２４ｂを設けている。また、該施療機１ｂの座部４ｂや足載せ部５ｂにおいては、空気給排装置６ｂにおける圧縮空気の給排気により膨縮する複数の膨縮袋７ｂを夫々設けている。
【００６７】
さらに、前記施療機１ｂの人体背部が当接する前記背当て部２ｂの上方において、施療用パッド１ａが取りつけられて構成している。すなわち、図２６に示すように、前記背当て部２ｂの上方に施療用パッド１ａを脱着可能に取りつけるための係着部２１ｂを設けている。
【００６８】
前記係着部２１ｂは、脱着自在で使い易い面ファスナー、またはフック金具等を採用する事ができる。この構成により、前記施療用パッド１ａが不必要な場合は取り外す事ができる。
【００６９】
また、前記施療用パッド１ａの上方にも前記係着部２１ｂを設けて、人体頭部が当接する枕部３ｂが脱着自在に備えられている。
【００７０】
前記係着部２１ｂは前記施療用パッド１ａや枕部３ｂの取付位置を自在に変更可能にする事ができるような構成のものでもよく、これにより使用者の体形等に合わせて適宜位置調節する事ができる。
【００７１】
加えて図２５に示すように、前記枕部３ｂを前記施療用パッド１ａに一体的に設けた構成にしてもよい。
【００７２】
さらに図２７に示すのは、前記施療用パッド１ａの下方において前記背当て部２ｂと着脱可能に係止するための係止部２２ｂを設けた構成のものである。すなわち係止部２２ｂは、施療用パッド１ａの前記縦長面状部１２ａ・１２ａの左右下端部外側に夫々突設した環状フック２２１ｂと凸状ボタン２２２ｂとからなり、凸状ボタン２２２ｂに対し環状フック２２１ｂを脱着自在に掛止する事により、施療用パッド１ａは背当て部２ｂに対して着脱可能に係止している。
【００７３】
これにより、前記施療子８ｂ等の施療機構を作動させて使用しても、施療用パッド１ａは前記背当て部２ｂから位置ずれしないようにする事ができる。
【００７４】
図２８は、前記施療用パッド１ａを前記背当て部２ｂの上方に設けた収納部２３ｂで収納する構成を示している。
【００７５】
前記収納部２３ｂは、縦断面凹状になるよう形成しており、施療用パッド１ａを図のように折り畳むか或いは丸めるか等して収納する事ができるようにしている。これにより、施療用パッド１ａが不必要な場合でも、前記係着部２１ｂから取り外さなくてもよくなる。
【図面の簡単な説明】
【００７６】
【図１】本発明の施療用パッドの一実施形態を示す斜視図である。
【図２】本発明の施療用パッドの一実施形態を示す斜視図である。
【図３】本発明の施療用パッドの一実施形態を示す斜視図である。
【図４】本発明の施療用パッドの一実施形態を示す斜視図である。
【図５】本発明の施療用パッドの一実施形態を示す斜視図である。
【図６】本発明の施療用パッドの一実施形態を示す斜視図である。
【図７】本発明の施療用パッドの一実施形態を示す斜視図である。
【図８】本発明の施療用パッドの一実施形態を示す斜視図である。
【図９】本発明の施療用パッドの一実施形態を示す斜視図である。
【図１０】本発明の施療用パッドの一実施形態を示す斜視図である。
【図１１】本発明の施療用パッドの一実施形態を示す斜視図である。
【図１２】本発明の施療用パッドを椅子に配置した一実施形態を示す使用状態側面図である。
【図１３】本発明の施療用パッドを椅子に配置した一実施形態を示す使用状態側面図である。
【図１４】本発明の施療用パッドを椅子に配置した一実施形態を示す使用状態側面図である。
【図１５】本発明の施療用パッドを椅子に配置した一実施形態を示す使用状態側面図である。
【図１６】本発明の施療用パッドを椅子に配置した一実施形態を示す使用状態側面図である。
【図１７】本発明の施療用パッドを椅子に配置した一実施形態を示す使用状態側面図である。
【図１８】本発明の施療用パッドを椅子に配置した一実施形態を示す使用状態側面図である。
【図１９】本発明の施療用パッドを椅子に配置した一実施形態を示す使用状態側面図である。
【図２０】本発明の施療用パッドを椅子に配置した一実施形態を示す使用状態側面図である。
【図２１】本発明の施療用パッドを椅子に配置した一実施形態を示す使用状態側面図である。
【図２２】本発明の施療用パッドの温熱手段と振動手段と膨縮袋の一実施形態を示す断面説明図である。
【図２３】本発明の施療用パッドの施療機と併用した一実施形態を示す使用状態側面図である。
【図２４】本発明の施療用パッドの施療機と併用した一実施形態を示す斜視図である。
【図２５】本発明の施療用パッドの施療機と併用した一実施形態を示す斜視図である。
【図２６】本発明の施療用パッドの施療機に対する取付けに関する一実施形態を示す斜視説明図である。
【図２７】本発明の施療用パッドの施療機と併用した一実施形態を示す斜視図である。
【図２８】本発明の施療用パッドの施療機に収納する一実施形態を示す側面説明図である。
【図２９】従来技術を示す参考図である。
【符号の説明】
【００７７】
１ａ  施療用パッド
１０ａ  第一パッド部
１１ａ  頭挿通部
１２ａ  縦長面状部
１３ａ  脱着連繋部
１３１ａ  ベルト部
１４ａ  係着部
２０ａ  第二パッド部
２０１ａ  空間部
３０ａ  第三パッド部
４ａ  温熱手段
５ａ  振動手段
６ａ  膨縮袋
１ｂ  施療機
２ｂ  背当て部
２１ｂ  係着部
２２ｂ  係止部
２２１ｂ  環状フック
２２２ｂ  凸状ボタン
２３ｂ  収納部
２４ｂ  施療機構
３ｂ  枕部
４ｂ  座部
５ｂ  足載せ部
６ｂ  空気給排装置
７ｂ  膨縮袋
８ｂ  施療子
Ｃ  椅子
【図１】
2006320630.tif 000003
【図２】
2006320630.tif 000004
【図３】
2006320630.tif 000005
【図４】
2006320630.tif 000006
【図５】
2006320630.tif 000007
【図６】
2006320630.tif 000008
【図７】
2006320630.tif 000009
【図８】
2006320630.tif 000010
【図９】
2006320630.tif 000011
【図１０】
2006320630.tif 000012
【図１１】
2006320630.tif 000013
【図１２】
2006320630.tif 000014
【図１３】
2006320630.tif 000015
【図１４】
2006320630.tif 000016
【図１５】
2006320630.tif 000017
【図１６】
2006320630.tif 000018
【図１７】
2006320630.tif 000019
【図１８】
2006320630.tif 000020
【図１９】
2006320630.tif 000021
【図２０】
2006320630.tif 000022
【図２１】
2006320630.tif 000023
【図２２】
2006320630.tif 000024
【図２３】
2006320630.tif 000025
【図２４】
2006320630.tif 000026
【図２５】
2006320630.tif 000027
【図２６】
2006320630.tif 000028
【図２７】
2006320630.tif 000029
【図２８】
2006320630.tif 000030
【図２９】
2006320630.tif 000031